(57)【要約】 【課題】ガイド壁の存在が接触不良や動作不良を招ことを防いだものとする。【解決手段】対の固定接点１０，１０に接触して対の固定接点間を短絡させることで回路を閉じ且つ対の固定接点から離れることで回路を開く可動接触子２と、開閉時の上記可動接触子の動きを案内するガイド壁５とを備え、上記可動接触子における上記ガイド壁で案内される縁部は角が丸められて凸曲面をなす断面形状となっている。【選択図】  図１
2012199131.tif 000002
【特許請求の範囲】
【請求項１】
対の固定接点に接触して対の固定接点間を短絡させることで回路を閉じ且つ対の固定接点から離れることで回路を開く可動接触子と、開閉時の上記可動接触子の動きを案内するガイド壁とを備え、上記可動接触子における上記ガイド壁で案内される縁部は角が丸められて凸曲面をなす断面形状となっていることを特徴とする電磁継電器。
【請求項２】
上記ガイド壁は上記可動接触子を案内する面に硬質の保護材が配されていることを特徴とする請求項１記載の電磁継電器。
【請求項３】
上記保護材は金属板であることを特徴とする請求項２記載の電磁継電器。
【請求項４】
上記保護材はガイド壁を被覆する金属薄膜であることを特徴とする請求項２記載の電磁継電器。
【請求項５】
対の固定接点に接触して対の固定接点間を短絡させることで回路を閉じ且つ対の固定接点から離れることで回路を開く可動接触子と、開閉時の上記可動接触子の動きを案内するガイド壁とを備え、上記ガイド壁は上記可動接触子を案内する面に硬質の保護材が配されていることを特徴とする電磁継電器。
【発明の詳細な説明】
【技術分野】
【０００１】
本発明は、電気回路の開閉用の電磁継電器に関するものである。
【背景技術】
【０００２】
電磁継電器、殊に電気自動車やハイブリッド自動車などで使用される２００Ｖ以上の直流高電圧回路の開閉用の電磁継電器では、いわゆる橋絡型の可動接触子を備えたものが用いられている。また上記可動接触子の開閉駆動に関して、次の２つの形式のものが存在している。一つは、可動接触子が対の固定接点に接触する方向に接圧ばねにってばね付勢されており、電磁石を励磁した状態ではプランジャーが可動接触子から離れるために上記ばね付勢で可動接触子が固定接点に接して回路を閉じ、電磁石を非励磁状態にすれば、プランジャーを付勢する復帰ばねのばね力（このばね力は上記接圧ばねのばね力より大）でプランジャーが可動接触子を押して固定接点から離すことで回路を開くタイプのもの（特許文献１）であり、もう一つは電磁石のプランジャーに可動接触子が連結されて、上記プランジャーを復帰させる復帰ばねのばね付勢で可動接触子が対の固定接点から離れて回路を開いており、電磁石の励磁によって可動接触子が上記ばね付勢に抗して固定接点側に押されて回路を閉じるタイプのもの（特許文献２）である。
【０００３】
そして後者のタイプでは、プランジャーと可動接触子との連結によって可動接触子の姿勢が規制されるのに対して、前者のタイプでは可動接触子の姿勢が規制されていないために、通常、開閉動作の際の可動接触子の動きを案内するガイドを設けている。図５及び図６にその一例を示す。図中１０は対で設けられている固定接点、２０は可動接触子２の長手方向両端部に設けられて各固定接点１０に夫々相対する可動接点であり、可動接触子２はばね３によって固定接点１０側に向けて付勢されている。図中４０は電磁石（図示せず）におけるプランジャーであり、電磁石を励磁すれば、プランジャー４０が可動接触子２をばね３の付勢に抗して押すことで、固定接点１０から引き離す。
【０００４】
上記ガイドは可動接触子２の長手方向中央部両脇に夫々配されたガイド壁５，５として形成されており、可動接触子２の開閉動作を案内する。
【０００５】
ところで上記ガイド壁５は、筐体と一体に形成された合成樹脂製であるのに対して、可動接触子２は金属製であるために、可動接触子２がガイド壁５に擦れてガイド壁５が削れることで摩耗粉が発生し、この摩耗粉が接点部に付着して接触不良を招いたり、可動接触子２の側縁の角がガイド壁５に引っ掛かって動作不良を起こすことがある。
【先行技術文献】
【特許文献】
【０００６】
【特許文献１】特開２００８−２２６５４７号公報
【特許文献２】特開昭６２−０５１１２６号公報
【発明の概要】
【発明が解決しようとする課題】
【０００７】
本発明は上記の点に鑑みなされたものであって、ガイド壁の存在が接触不良や動作不良を招くことを防いだ電磁継電器を提供することを課題とするものである。
【課題を解決するための手段】
【０００８】
本発明は、対の固定接点に接触して対の固定接点間を短絡させることで回路を閉じ且つ対の固定接点から離れることで回路を開く可動接触子と、開閉時の上記可動接触子の動きを案内するガイド壁とを備え、上記可動接触子における上記ガイド壁で案内される縁部は角が丸められて凸曲面をなす断面形状となっていることに特徴を有している。
【０００９】
上記ガイド壁は上記可動接触子を案内する面に硬質の保護材が配されていることが好ましく、この場合、上記保護材としては金属板やガイド壁を被覆する金属薄膜を好適に用いることができる。
【００１０】
また本発明は、対の固定接点に接触して対の固定接点間を短絡させることで回路を閉じ且つ対の固定接点から離れることで回路を開く可動接触子と、開閉時の上記可動接触子の動きを案内するガイド壁とを備え、上記ガイド壁は上記可動接触子を案内する面に硬質の保護材が配されていることに他の特徴を有している。
【発明の効果】
【００１１】
本発明においては、可動接触子がガイド壁を削る虞が殆どないために摩耗粉による接触不良を招くことが殆どなく、また可動接触子がガイド壁に引っ掛かって動作不良を起こすことも殆どないものである。
【図面の簡単な説明】
【００１２】
【図１】本発明の実施の形態の一例の拡大断面図である。
【図２】同上の概略断面図である。
【図３】同上のＡ−Ａ線断面図である。
【図４】同上のＢ−Ｂ線断面図である。
【図５】従来例の部分縦断面図である。
【図６】従来例の部分横断面図である。
【発明を実施するための形態】
【００１３】
実施の形態の一例について図に基づいて詳述すると、図２は全体の概略を示すもので、一対の接点板１，１が固定された筐体９内には可動接触子２と接圧ばね３と電磁石４とが配されている。
【００１４】
上記の接点板１，１は、夫々固定接点１０，１０を有しており、可動接触子２はその長手方向両端に固定接点１０，１０と夫々相対する可動接点２０，２０を有している。接圧ばね３は、可動接触子２における可動接点２０が設けられた面と反対側の面と筐体９との間に配されて可動接触子２を固定接点１０側に付勢する。
【００１５】
電磁石４は、コイル４１と固定鉄芯４２と可動鉄芯４３，可動鉄芯４３を固定鉄芯４０から離す方向に付勢する復帰ばね４４，そして可動鉄芯４３に固定されて可動鉄芯４３と共に動くプランジャー４０からなる。この電磁石４は、通常時、復帰ばね４４による付勢で突出しているプランジャー４０は、その先端に配された絶縁体４５を介して可動接触子２を復帰ばね４４のばね力に抗して押すことで、固定接点１０から離している。このために、通常時は回路が開いている状態にある。
【００１６】
電磁石４のコイル４１に通電して励磁することで、可動鉄芯４３及びプランジャー４０を復帰ばね４４に抗して引き戻せば、可動接触子２は接圧ばね３の付勢で固定接点１０側に移動し、固定接点１０，１０に可動接点２０，２０が接触することで回路を閉じる。
【００１７】
ここにおいて、長手方向の両端部に可動接点２０，２０を有している可動接触子２の長手方向中央部の両側方には、筐体９と一体もしくは別体のガイド壁５，５が設けられている。回路の開閉時における可動接触子２の動きがガイド壁５，５によって案内されるのであるが、可動接触子２の長手方向中央部のガイド壁５に接触することになる両側縁は、図１に示すように角を丸めることで凸曲面の断面形状を有するものとなっている。
【００１８】
このような断面形状を持つ面がガイド壁５に接するために、合成樹脂製のガイド壁５が金属製の可動接触子２によって削られにくく、また可動接触子２がガイド壁５に引っ掛かりづらくなっている。
【００１９】
図３及び図４に示すように、一対の接点板１，１のうちの一方に二つの固定接点１０，１０を配置するとともに、可動接触子２にもその一端側に二つの可動接点２０，２０を設け、総計３つの固定接点１０と同じく３つの可動接点２０とを相対させることで、固定接点１０との接触後の可動接触子２の安定性を大きくしたものでは、そのバランスの関係で、可動接触子２の移動中に傾きやすくなっていることから、特に有効である。
【００２０】
ガイド壁５の摩耗をさらに確実に防ぐという点からは、上記の点に加えて、ガイド壁５における可動接触子２が接触する面に硬質の保護材６を設けることが好ましい。この硬質の保護材６としては、可動接触子２と同等以上の硬さを有するもので且つ低摩擦係数のもの、たとえばステンレス板のような硬質金属板、セラミック等からなり、表面粗さを小さくしたものを好適に用いることができる。また、この種の電磁継電器では、磁界を利用した消弧手段を接点部分の近傍に配置する関係上、保護材６には非磁性体を用いることが好ましい。
【００２１】
保護材６としては、ガイド壁５表面にスパッタや蒸着等の手段で形成した金属薄膜を用いてもよい。
【００２２】
なお、このような保護材６をガイド壁５に配した時には、可動接触子２の上記両側縁は角を有するものとなっていてもよい。ガイド壁６が削れてしまうようなことがない上に、摩擦係数が低ければ引っ掛かることもないからである。
【００２３】
背景技術として述べた２つのタイプのうち、前者のものに適用した実施例を示したが、電磁石のプランジャーに可動接触子を連結した後者のタイプのものであってもよい。プランジャーへの可動接触子の連結は、プランジャーに対して遊びが生じるようにしているために、ガイド壁を設けることがある上に、この時には可動接触子がガイド壁を摩耗させたりガイド壁に引っ掛かったりするためである。
【符号の説明】
【００２４】
１  接点板
２  可動接触子
４  電磁石
５  ガイド壁
６  保護材
１０  固定接点
２０  可動接点
４０  プランジャー
【図１】
2012199131.tif 000003
【図２】
2012199131.tif 000004
【図３】
2012199131.tif 000005
【図４】
2012199131.tif 000006
【図５】
2012199131.tif 000007
【図６】
2012199131.tif 000008